(57)【特許請求の範囲】
【請求項１】
互いに異なるレンズ度数が設定された複数の視力矯正域を有する多焦点型コンタクトレンズにおいて、
前記視力矯正域を、近方観察及び遠方観察のうちの何れか一方に用いられる中央視力矯正域と、該中央視力矯正域と異なるレンズ度数が設定されて該中央視力矯正域の外周側に離間して位置せしめられた、近方観察及び遠方観察のうちの何れか他方に用いられる外周視力矯正域と、該中央視力矯正域と該外周視力矯正域の中間のレンズ度数が設定されてそれら中央視力矯正域と外周視力矯正域の間に位置せしめられた中間域を含んで構成すると共に、該中央視力矯正域と該外周視力矯正域を光学的に同心状に形成し、また該中央視力矯正域の外径寸法を０〜８ｍｍとし、更に該中間域の径方向幅寸法を０．１〜３．５ｍｍとし、且つそれら中央視力矯正域および外周視力矯正域におけるレンズ度数を、径方向全体に亘ってそれぞれ一定とする一方、前記中間域を、前記中央視力矯正域に接して該中央視力矯正域のレンズ度数から前記外周視力矯正域のレンズ度数側に向かって、該中央視力矯正域から離れるに従って変化率が次第に大きくなる二次曲線状に度数変化する内側移行領域と、前記外周視力矯正域に接して該外周視力矯正域のレンズ度数から前記中央視力矯正域のレンズ度数側に向かって、該外周視力矯正域から離れるに従って変化率が次第に大きくなる二次曲線状に度数変化する外側移行領域とによって構成し、それら内側移行領域と外側移行領域の境界でレンズ度数を一致させることによって、かかる境界上に度数変化の変曲点を設定すると共に、該中間域における内側移行領域と外側移行領域の境界が、該中間域の径方向中心位置を含んで、それよりも前記近方観察用とされる視力矯正域の側に偏倚するように構成したことを特徴とする多焦点型コンタクトレンズ。
【請求項２】
前記中央視力矯正域に設定されたレンズ度数をＰａとすると共に、前記外周視力矯正域に設定されたレンズ度数をＰｃとし、且つ中間域における内側移行領域と外側移行領域の境界でのレンズ度数をＰｂ、視力矯正域の光学的中心軸から中央視力矯正域と中間域との境界までの距離をＷａ、視力矯正域の光学的中心軸から中間域における内側移行領域と外側移行領域の境界までの距離をＷｂ、視力矯正域の光学的中心軸から外周視力矯正域と中間域との境界までの距離をＷｃとすれば、前記中間域の前記内側移行領域におけるレンズ度数：ｙが、視力矯正域の光学的中心軸からの離間距離をｘとして、
ｙ＝Ｐａ−（Ｐａ−Ｐｂ）×（Ｗａ−ｘ）2 ／（Ｗａ−Ｗｂ）2
で表されると共に、該中間域の前記外側移行領域におけるレンズ度数：ｙが、
ｙ＝Ｐｃ−（Ｐｃ−Ｐｂ）×（Ｗｃ−ｘ）2 ／（Ｗｃ−Ｗｂ）2
で表される請求項１に記載の多焦点型コンタクトレンズ。
【請求項３】
前記中央視力矯正域を含んで近方観察用の中央光学部が構成されていると共に、前記外側視力矯正域を含んで遠方観察用の外周光学部が構成されており、且つそれら中央視力矯正域および外側視力矯正域の光学的中心点が、レンズ外形中心点に対して下方に偏倚していると共に、その偏倚量が７．０mm以下である請求項１又は２に記載の多焦点型コンタクトレンズ。
【請求項４】
前記中央視力矯正域を含んで遠方観察用の中央光学部が構成されていると共に、前記外側視力矯正域を含んで近方観察用の外周光学部が構成されており、且つそれら中央視力矯正域および外側視力矯正域の光学的中心点が、レンズ外形中心点に対して上方に偏倚していると共に、その偏倚量が７．０mm以下である請求項１乃至３の何れかに記載の多焦点型コンタクトレンズ。
【請求項５】
前記中央視力矯正域および前記外周視力矯正域において、度数を決定するための面形状がそれぞれ球面とされている請求項１乃至４の何れかに記載の多焦点型コンタクトレンズ。
【請求項６】
前記視力矯正域において、何れか一方のレンズ面がトーリック面とされている請求項１乃至５の何れかに記載の多焦点型コンタクトレンズ。
【発明の詳細な説明】
【０００１】
【技術分野】
本発明は、コンタクトレンズや眼内レンズ等、眼球の表面や内部に装着乃至は埋殖されるレンズ（以下、眼用レンズという）であって、互いに異なる度数が設定された複数の視力矯正領域を有する多焦点型眼用レンズに関するものである。
【０００２】
【背景技術】
従来から、老視眼等の視力調節能力に劣る眼に適用されて、視力調節力を補うため等に用いられる眼用レンズとして、一つのレンズ内に互いに異なる度数が設定された複数の視力矯正領域を存在せしめた多焦点型眼用レンズが提案されている。例えば、特開昭６３−９５４１５号公報や特開平１−３１９７２９号公報等に記載されているように、視軸の移動によって度数の異なる視力矯正領域を使い分ける視軸移動型のコンタクトレンズや、特開昭５９−２０８５２４号公報や特開平２−２１７８１８号公報等に記載されているように、度数の異なる視力矯正領域を同時に観察して脳の判断で必要な像を選別する同時視型のコンタクトレンズなどが、それである。
【０００３】
また、視軸移動型と同時視型の何れのタイプのレンズでも、近方観察のための近用視力矯正域と、遠方観察のための遠用視力矯正域の二つの異なる度数領域を有するバイフォーカルレンズと、近用視力矯正域と遠用視力矯正域の間に中間の視力矯正域を形成して三つ以上の異なる度数領域を設けたマルチフォーカルレンズが、提案されている。
【０００４】
ところが、バイフォーカルレンズでは、焦点が二つしかないために中間距離にある点で鮮明な像を得難く、イメージジャンプ等を生じ易いという問題があり、境界部の段差によって装用感が悪いといった問題もあった。一方、マルチフォーカルレンズでは、中間距離の点でも一応の鮮明像が得られるが、従来のものでは、レンズの度数が径方向で狭い幅をもって段階的に変化しているために、近用視力矯正域および遠用視力矯正域で充分な面積が確保され難く、明瞭な像が得難いという問題があり、また、段階的に度数変化する境界線上で連続的な度数変化がなく、形状的な屈曲点や段差も存在するために、装用感の悪化や、ゴーストイメージの出現、遠近像相互干渉等の問題が発生するおそれもあった。
【０００５】
そこで、本出願人は、先に、特開平５−１８１０９６号公報において、互いに同心的に配した近用視力矯正域と中間域、遠用視力矯正域を、それぞれ、径方向に連続して変化する度数分布曲線を示すようにして形成せしめた多焦点型眼用レンズを提案した。この先の出願に係る多焦点型眼用レンズでは、近用視力矯正域と中間域の境界線や遠用視力矯正域と中間域の境界線においても度数分布が連続せしめられ、形状的な段差や屈曲線を有する境界の発生が防止されることから、優れた装用感が得られると共に、ゴーストイメージ等の観察上の不具合も有利に回避され得るのである。
【０００６】
ところが、本発明者等が更なる検討を加えたところ、使用者の特殊な用途や環境等によっては、このような先の出願に係る多焦点眼用レンズでも、使用者の要求を未だ充分に満足させ難い場合のあることが明らかとなった。例えば、画家や測量従事者等のように、遠点と近点の両方で特に明瞭な視認性が要求されるような場合では、かかる先の出願に係る多焦点眼用レンズを用いても、未だ、充分な像の明瞭性が得られ難い場合のあることが、明らかとなったのである。
【０００７】
【解決課題】
ここにおいて、本発明は、上述の如き事情を背景として為されたものであって、その解決課題とするところは、遠点と近点の何れにおいても極めて明瞭な視認性を得ることが出来ると共に、装用性に優れた多焦点眼用レンズを提供することにある。
【０００８】
また、本発明は、近用視力矯正域と遠用視力矯正域において、それぞれ、レンズ度数やレンズ面積の設計自由度が有利に確保され得る多焦点眼用レンズを提供することも、目的とする。
【０００９】
【解決手段】
そして、このような課題を解決するために、本発明の特徴とするところは、互いに異なるレンズ度数が設定された複数の視力矯正域を有する多焦点型コンタクトレンズにおいて、前記視力矯正域を、近方観察及び遠方観察のうちの何れか一方に用いられる中央視力矯正域と、該中央視力矯正域と異なるレンズ度数が設定されて該中央視力矯正域の外周側に離間して位置せしめられた、近方観察及び遠方観察のうちの何れか他方に用いられる外周視力矯正域と、該中央視力矯正域と該外周視力矯正域の中間のレンズ度数が設定されてそれら中央視力矯正域と外周視力矯正域の間に位置せしめられた中間域を含んで構成すると共に、該中央視力矯正域と該外周視力矯正域を光学的に同心状に形成し、また該中央視力矯正域の外径寸法を０〜８ｍｍとし、更に該中間域の径方向幅寸法を０．１〜３．５ｍｍとし、且つそれら中央視力矯正域および外周視力矯正域におけるレンズ度数を、径方向全体に亘ってそれぞれ一定とする一方、前記中間域を、前記中央視力矯正域に接して該中央視力矯正域のレンズ度数から前記外周視力矯正域のレンズ度数側に向かって、該中央視力矯正域から離れるに従って変化率が次第に大きくなる二次曲線状に度数変化する内側移行領域と、前記外周視力矯正域に接して該外周視力矯正域のレンズ度数から前記中央視力矯正域のレンズ度数側に向かって、該外周視力矯正域から離れるに従って変化率が次第に大きくなる二次曲線状に度数変化する外側移行領域とによって構成し、それら内側移行領域と外側移行領域の境界でレンズ度数を一致させることによって、かかる境界上に度数変化の変曲点を設定すると共に、該中間域における内側移行領域と外側移行領域の境界が、該中間域の径方向中心位置を含んで、それよりも前記近方観察用とされる視力矯正域の側に偏倚するように構成したことにある。
【００１０】
このような本発明に従う構造とされた多焦点型眼用レンズにおいては、中央視力矯正域と外周視力矯正域において、それぞれ、一定の度数分布領域が設けられることから、それら中央視力矯正域と外周視力矯正域において、それぞれ、特に必要とされる特定の距離点における視認性が有利に確保され得て、それら中央視力矯正域と外周視力矯正域に設定された各レンズ度数に対応する距離点において明瞭な像を観察することが可能となるのである。加えて、中間域のレンズ度数が、中央視力矯正域および外周視力矯正域の近くでは変化率が小さく、離れるに従って変化率が大きくなるように設定されていることから、それら中央視力矯正域および外周視力矯正域によって観察した像の明瞭性が、何れも、中間域による悪影響を殆ど受けることなく、極めて有利に確保され得るのである。
【００１１】
しかも、本発明に係る多焦点型眼用レンズにおいては、中間域がそれぞれ二次曲線状に度数変化する内側移行領域と外側移行領域から構成され、中央視力矯正域と外周視力矯正域に連接されていることから、該中間域の度数変化を三次関数の逆関数の曲線状等に設定した場合に比して、中央視力矯正域および外周視力矯正域におけるそれぞれの設定度数や設定面積等に拘わらず、それら中央視力矯正域および外周視力矯正域に対して中間域を、滑らかな度数変化をもって容易に連接させることが出来るのであり、それ故、段差や大きな屈曲点の発生等を回避しつつ、中央視力矯正域および外周視力矯正域におけるレンズ度数やレンズ面積等の設計自由度の向上が達成され得るのである。
【００１２】
さらに、本発明に係る多焦点眼用レンズにおいては、前記中央視力矯正域に設定されたレンズ度数をＰａとすると共に、前記外周視力矯正域に設定されたレンズ度数をＰｃとし、且つ中間域における内側移行領域と外側移行領域の境界でのレンズ度数をＰｂ、視力矯正域の光学的中心軸から中央視力矯正域と中間域との境界までの距離をＷａ、視力矯正域の光学的中心軸から中間域における内側移行領域と外側移行領域の境界までの距離をＷｂ、視力矯正域の光学的中心軸から外周視力矯正域と中間域との境界までの距離をＷｃとすれば、前記中間域の前記内側移行領域におけるレンズ度数：ｙが、視力矯正域の光学的中心軸からの離間距離をｘとして、下記（式１）で表されると共に、該中間域の前記外側移行領域におけるレンズ度数：ｙが、視力矯正域の光学的中心軸からの離間距離をｘとして、下記（式２）で表される構成が、好適に採用される。
ｙ＝Ｐａ−（Ｐａ−Ｐｂ）×（Ｗａ−ｘ）2 ／（Ｗａ−Ｗｂ）2 ・・・（式１）
ｙ＝Ｐｃ−（Ｐｃ−Ｐｂ）×（Ｗｃ−ｘ）2 ／（Ｗｃ−Ｗｂ）2 ・・・（式２）
【００１３】
このような構成を採用すれば、中央視力矯正域と外周視力矯正域を滑らかに連接する中間域が有利に設定され得るのであり、特に、中央視力矯正域と中間域（内側移行領域）および外周視力矯正域と中間域（外側移行領域）の各連接点において、何れも、レンズ度数分布曲線が連続するようにレンズ面形状が決定される。即ち、レンズ度数分布曲線が、それら何れの連接点においても、一つの共通接線を有する曲線形状をもって設定されることとなり、優れた装用感が実現されると共に、ゴーストイメージ等の発生が有利に防止されるのである。
【００１４】
また、前記（式１）および（式２）に従う構成を採用する場合には、それに加えて、前記視力矯正域の光学的中心軸から前記中間域における内側移行領域と外側移行領域の境界までの距離：Ｗｂを、下式に従って設定せしめた構成が、好適に採用される。
Ｗｂ＝（（Ｐａ−Ｐｂ）Ｗｃ−（Ｐｃ−Ｐｂ）Ｗａ）／（Ｐａ−Ｐｃ）
このようにして内側移行領域と外側移行領域の境界位置を設定すれば、かかる境界位置においても、レンズ度数分布曲線が連続するようにレンズ面形状が決定されるのであり、それによって、装用感や視認明瞭性等の更なる向上が図られ得るのである。
【００１５】
さらに、特に、本発明においては、例えば、前記中央視力矯正域を含んで近方観察用の中央光学部を構成すると共に、前記外側視力矯正域を含んで遠方観察用の外周光学部を構成し、且つそれら中央視力矯正域および外側視力矯正域と前記中間域の各レンズ度数を与える前記各値を、下記（式３）〜（式９）の如く設定せしめてなる構成が、好適に採用される。
Ｐａ＝Ｐ＋ＡＤＤ  ・・・（式３）
Ｐ＋(1/6) ＡＤＤ≦Ｐｂ≦Ｐ＋(2/3) ＡＤＤ  ・・・（式４）
Ｐｃ＝Ｐ  ・・・（式５）
Ｗａ＝（１／２）ＳＤ  ・・・（式６）
(1/2) ＳＤ＋(1/8) ＩＭ≦Ｗｂ≦(1/2) ＳＤ＋(1/2) ＩＭ  ・・・（式７）
Ｗｃ＝(1/2) ＳＤ＋ＩＭ  ・・・（式８）
０．１mm≦ＩＭ≦３．５mm  ・・・（式９）
０≦ＳＤ≦８．０mm  ・・・（式１０）
但し、上式中、ＡＤＤは付加度数であり、ＩＭは中間域の径方向幅寸法であり、ＳＤは中央光学部の外径寸法（セグダイヤ）であり、ＯＺは外周光学部の外径寸法である。
【００１６】
或いはまた、本発明においては、例えば、前記中央視力矯正域を含んで遠方観察用の中央光学部を構成すると共に、前記外側視力矯正域を含んで近方観察用の外周光学部を構成し、且つそれら中央視力矯正域および外側視力矯正域と前記中間域の各レンズ度数を与える前記各値を、下記（式１１）〜（式１８）の如く設定せしめてなる構成が、好適に採用される。
Ｐａ＝Ｐ  ・・・（式１１）
Ｐ＋(1/6) ＡＤＤ≦Ｐｂ≦Ｐ＋(2/3) ＡＤＤ  ・・・（式１２）
Ｐｃ＝Ｐ＋ＡＤＤ  ・・・（式１３）
Ｗａ＝（１／２）ＳＤ  ・・・（式１４）
(1/2) ＳＤ＋(1/2) ＩＭ≦Ｗｂ≦(1/2) ＳＤ＋(7/8) ＩＭ  ・・・（式１５）
Ｗｃ＝(1/2) ＳＤ＋ＩＭ  ・・・（式１６）
０．１mm≦ＩＭ≦３．５mm  ・・・（式１７）
０≦ＳＤ≦８．０mm  ・・・（式１８）
【００１７】
すなわち、上記（式３）〜（式１０）に従ってレンズ形状を設定することにより、中央光学部によって近点の観察に適した視力補正用のレンズ度数を与えると共に、外周光学部によって遠点の観察に適した視力補正用のレンズ度数を与える多焦点型眼用レンズが有利に実現され得る一方、上記（式１１）〜（式１８）に従ってレンズ形状を設定することにより、中央光学部によって遠点の観察に適した視力補正用のレンズ度数を与えると共に、外周光学部によって近点の観察に適した視力補正用のレンズ度数を与える多焦点型眼用レンズが有利に実現され得るのである。特に、中間域における内側移行領域と外側移行領域の境界（度数変化の変曲点）が、中間域の径方向中間位置よりも近方観察用光学部側に偏倚して設定されることとなり、それによって、一般的な使用条件下において、近点観察時の視認明瞭性と、遠点観察時の視認明瞭性が、共に有利に確保され得るのである。
【００１８】
さらに、本発明に従う構造とされた多焦点型眼用レンズにおいて、前記中央視力矯正域を含んで近方観察用の中央光学部を構成すると共に、前記外側視力矯正域を含んで遠方観察用の外周光学部を構成するに際しては、それら中央視力矯正域および外側視力矯正域の光学的中心点を、レンズ外形中心点に対して下方に偏倚せしめると共に、その偏倚量を７．０mm以下に設定することが望ましい。或いは、本発明に従う構造とされた多焦点型眼用レンズにおいて、前記中央視力矯正域を含んで遠方観察用の中央光学部を構成すると共に、前記外側視力矯正域を含んで近方観察用の外周光学部を構成するに際しては、それら中央視力矯正域および外側視力矯正域の光学的中心点を、レンズ外形中心点に対して上方に偏倚せしめると共に、その偏倚量を７．０mm以下に設定することが望ましい。
【００１９】
このように視力矯正域の光学的中心点をレンズ外形中心点に対して特定方向に偏倚させることによって、近方観察用光学部と遠方観察用光学部は互いに光学的に同軸的に形成されるが、遠方視と視線が下方に向く近方視では、レンズの安定位置が異なることを利用して、換言すれば瞳孔と各観察用光学部との相対的位置関係が異なることを利用して、近方観察用光学部と遠方観察用光学部を使い分ける視軸移動型の多焦点型眼用レンズが有利に実現され得るのである。
【００２０】
また、本発明における多焦点型眼用レンズにおいては、前記中央視力矯正域および前記外周視力矯正域において、度数を決定するための面形状として、それぞれ球面が、好適に採用される。このように基本的な面形状として球面を採用すれば、レンズ表面形状の設計が容易となると共に、優れた光学特性が容易に付与され得るのである。
【００２１】
更にまた、本発明における多焦点型眼用レンズにおいては、前記視力矯正域において、何れか一方のレンズ面として、トーリック面が採用され得る。なお、トーリック面を採用するのは、眼用レンズの何れの側の面であっても良く、例えば、眼球表面形状に対応した球状凹面をもって一方の面が形成されるコンタクトレンズの場合には、目的とするレンズ度数の中央視力矯正域と外周視力矯正域および中間域を与えるように形状設計される球状凸面側に、トーリック面を併せて設定することも可能である。そして、トーリック面を採用した場合には、中央視力矯正域および外周視力矯正域におけるレンズ度数が、光学的中心軸周りの周方向では、シリンダ軸に応じて異なることとなるが、各径方向では、全体に亘って一定のレンズ度数が確保され得る。
【００２２】
【発明の実施の形態】
以下、本発明を更に具体的に明らかにするために、本発明の実施形態について、図面を参照しつつ、詳細に説明する。
【００２３】
具体的には、本発明に従う構造とされた多焦点型眼用レンズは、例えば、図１に示されている如き構造の老視用等のコンタクトレンズ１０として形成される。このコンタクトレンズ１０は、レンズの外形に対する幾何中心軸：Ｏを光学的中心軸：Ｐとする視力矯正域１２を有している。なお、視力矯正域１２の外周側は、装用時に瞳孔上に位置しないために光学的特性を与えるものでないが、装用のために必要な外周領域として形成されており、必要に応じてスラブオフ加工等が施される。また、視力矯正域１２は、互いに異なるレンズ度数が設定された中央視力矯正域１４と外周視力矯正域１６、中間域１８によって構成されている。中央視力矯正域１４は、光学的中心軸：Ｐを中心とする円形状を有しており、外周視力矯正域１６は、中央視力矯正域１４の外方に離間位置する同心的な円環形状を有している。また、中間域１８は、それら中央視力矯正域と外周視力矯正域１６の間を埋めるように同心的に位置する円環形状を有している。
【００２４】
さらに、中央視力矯正域１４と外周視力矯正域１６は、互いに異なるレンズ度数が設定されることにより、一般に、それらの何れか一方の視力矯正域が、近点観察のために使用者の視力調節力を補うだけの一定のレンズ度数を、径方向全体に亘って有する近用視力矯正域とされると共に、他方の視力矯正域が、遠点観察のために使用者の視力調節力を補うだけの一定のレンズ度数を、径方向全体に亘って有する遠用視力矯正域とされる。なお、中央視力矯正域と外周視力矯正域の何れを近用視力矯正域とするかは、使用者の要求や生活状況や環境等を考慮して適宜に決定される。また、中間域１８は、中央視力矯正域１４と外周視力矯正域１６の間に亘って、それら各視力矯正域１４，１６に設定された相互に異なるレンズ度数を出来るだけ滑らかにつなぐように、径方向で次第に変化するレンズ度数が設定されている。特に、中間域１８は、レンズ形状的に径方向内外周に二分されており、中央視力矯正域１４に対して連接された内側移行領域２０と、外周視力矯正域１６に対して連接された外側移行領域２２とから構成されている。
【００２５】
そこにおいて、中央視力矯正域１４および外周視力矯正域１６においては、径方向の度数分布が、光学中心軸：Ｐからの距離に関する０次式で表される一方、中間域１８では、径方向の度数分布が、中央視力矯正域１４に連接された内側移行領域２０と外周視力矯正域１６に連接された外側移行領域２２のそれぞれにおいて、二次の項の符号が逆とされて凹凸が反対に設定された光学中心軸からの距離に関する二次式で表されるように、視力矯正域１２におけるレンズ度数が設定されているのである。
【００２６】
より具体的には、例えば、中央視力矯正域１４を近用視力矯正域とし、外周視力矯正域１６を遠用視力矯正域とした場合には、好ましくは、前記（式１）〜（式１０）に従って、各視力矯正域におけるレンズ度数分布が設計される。そして、これらの式に従って、実際にレンズ度数分布を設計した結果の具体例が、図２に示されている。かかる図２に示された結果から明らかなように、近方観察に際して有利に用いられる中央光学部２４の多くの部分が、一定のレンズ度数：Ｐａが設定された中央視力矯正域１４によって構成されるのであり、また、遠方観察に際して有利に用いられる外周光学部２６の多くの部分が、一定のレンズ度数：Ｐｃが設定された外周視力矯正域１６によって構成される。その結果、近方観察と遠方観察の何れの場合でも、明瞭な像を有利に認識することが出来るのである。なお、各視力矯正域１４，１６，１８の径方向寸法は、前記（式１）〜（式１０）を満足する範囲内で、使用者の好みや使用環境等を充分に考慮して、適当に設定され得る。
【００２７】
また、上述の如くして設計されたレンズ度数を与えるコンタクトレンズ１０の具体的形状を決定するに際しては、例えば、コンタクトレンズ１０の内面を使用者の角膜形状に対応した球面形状をもって形成する一方、コンタクトレンズ１０の外面を、光線追跡法を利用すること等によって、目的とするレンズ度数が与えられるように決定することによって、有利に設計され得る。
【００２８】
そして、図２に示されているように、中央視力矯正域１４における径方向のレンズ度数分布が、内側移行領域２０と外側移行領域２２の各領域において、それぞれ二次曲線として表されるように設定されて、中央視力矯正域１４と外周視力矯正域１６へのレンズ度数の繋がりが極めて滑らかに設計されていることから、レンズ表面形状も滑らかにされ得て、優れた装用感が実現されると共に、中央視力矯正域１４や外周視力矯正域１６と中間域１８との境界部分における光の散乱やゴースト等の発生が有利に防止されて明瞭な視認性が実現され得るのである。
【００２９】
また一方、中央視力矯正域１４を遠用視力矯正域とし、外周視力矯正域１６を近用視力矯正域とした場合には、好ましくは、前記（式１）〜（式２）及び（式１１）〜（式１８）に従って、各視力矯正域におけるレンズ度数分布が設計される。そして、これらの式に従って、実際にレンズ度数分布を設計した結果の具体例が、図３に示されている。かかる図３に示された結果から明らかなように、遠方観察に際して有利に用いられる中央光学部２４の多くの部分が、一定のレンズ度数：Ｐｃが設定された中央視力矯正域１４によって構成されるのであり、また、近方観察に際して有利に用いられる外周光学部２６の多くの部分が、一定のレンズ度数：Ｐａが設定された外周視力矯正域１６によって構成されるのであり、その結果、本具体例においても、図２に示された具体例と同様、近方観察と遠方観察の何れの場合でも、明瞭な像を有利に認識することが出来ると共に、中央視力矯正域１４と外周視力矯正域１６が中間域１８で滑らかに接続されて、優れた装用感と視認性が有利に実現され得るのである。
【００３０】
なお、図１に示されたコンタクトレンズ１０にあっては、視力矯正域１２の光学的中心軸：Ｐが、レンズ外形の幾何的中心軸：Ｏに一致せしめられていたが、視力矯正域１２の光学的中心軸：Ｐを、レンズ外形の幾何的中心軸：Ｏに対して一致させることは必ずしも必要でない。そして、視力矯正域１２の光学的中心軸：Ｐとレンズ外形の幾何的中心軸：Ｏとのずれ量の大きさや、各視力矯正域１４，１６，１８の大きさ等によっては、視力矯正域１２の一部がレンズ外形から外れてしまうことにより、外周の一部が切り欠かれた円形の中央視力矯正域１４や、外周の一部が切り欠かれた円環形状乃至は円弧形状の中間域１８および外周視力矯正域１６等も採用され得る。
【００３１】
具体的には、例えば、図４に示されているように、視力矯正域１２の光学的中心軸：Ｐを、レンズ外形の幾何的中心軸：Ｏに対して、装用時における鼻側（図中、右側）の下方に偏倚させて設定することも有効である。即ち、人間の眼球の角膜表面は、一般に、耳側の曲率が鼻側の曲率より大きくなっていることから、コンタクトレンズの装用時に、コンタクトレンズの外形の幾何的中心軸：Ｏが耳側にずれ易い傾向があると共に、人間の視線は、生活環境等の理由からやや下方視の頻度が高い傾向にある。そこで、上述の如き偏倚を設定すると、装用時に、コンタクトレンズの光学的中心軸：Ｐが、瞳孔中心に対して一致し易くなり、コンタクトレンズの使用性の更なる向上が図られ得るといった利点がある。なお、図４においては、理解を容易とするために、図中、図１に示されたコンタクトレンズ１０と同様な構造とされた部位に対して、それぞれ、図１に示されたコンタクトレンズ１０と同一の符号を付しておく。
【００３２】
さらに、上述の説明では、何れも、同時視型のコンタクトレンズについて説明したが、本発明に従う構造とされた多焦点眼用レンズは、各視力矯正域の光学的中心軸とレンズ外形に対する幾何的中心軸とのずれ量の大きさや、各視力矯正域の大きさ等を適当に設定することによって、視軸移動型の眼用レンズにも、有利に適用され得る。
【００３３】
図５には、本発明を視軸移動型の眼用レンズに適用したものの具体例としてのコンタクトレンズ３０が、示されている。かかるコンタクトレンズ３０では、中央視力矯正域１４が近用視力矯正域とされていると共に、外周視力矯正域１６が遠用視力矯正域とされており、且つそれら中央視力矯正域１４と外周視力矯正域１６を含む視力矯正域１２の光学的中心軸：Ｐが、レンズ外形の幾何的中心軸：Ｏに対して、下方に偏倚して設定されている。なお、図５中、Ｌは、レンズ外形の幾何的中心軸：Ｏを通る装用時の水平線であり、Ｍは、同、鉛直線である。
【００３４】
このような構造とされたコンタクトレンズ３０においては、装用者が読書等に際して視線を下方に移すと、瞳孔上の広い部分が中央視力矯正域１４で覆われることとなり、中央視力矯正域１４のレンズ度数によって近用視力矯正が有効に行われて近点の視認明瞭性が確保され得る。一方、装用者が車の運転等に際して視線を中央から上方に移すと、瞳孔上の広い部分が外周視力矯正域１６で覆われることとなり、外周視力矯正域１６のレンズ度数によって遠用視力矯正が有効に行われて遠点の視認明瞭性が確保されるのである。
【００３５】
なお、かかるコンタクトレンズ３０においては、視力矯正域１２の光学的中心軸：Ｐのレンズ外形の幾何的中心軸：Ｏに対する鉛直下方への偏倚量：ｅが、ｅ≦７．０mmに設定されることが望ましい。それによって、一般的な生活条件下で、近用視力と遠用視力が、共に有利に確保され得る。また、かかるコンタクトレンズ３０においては、装用時のレンズ位置ずれ等を考慮して、好ましくは、図５に示されているように、視力矯正域１２の光学的中心軸：Ｐがレンズ外形の幾何的中心軸：Ｏに対して鼻側（図中、右側）斜め下方に偏倚して設定される。更に、かかるコンタクトレンズ３０において、より好ましくは、視力矯正域１２のレンズ度数分布等が、前記（式１）〜（式１０）に従って設定される。
【００３６】
更に、図６には、本発明を視軸移動型の眼用レンズに適用したものの別の具体例としてのコンタクトレンズ３２が、示されている。かかるコンタクトレンズ３２では、中央視力矯正域１４が遠用視力矯正域とされていると共に、外周視力矯正域１６が近用視力矯正域とされており、且つそれら中央視力矯正域１４と外周視力矯正域１６を含む視力矯正域１２の光学的中心軸：Ｐが、レンズ外形の幾何的中心軸：Ｏに対して、上方に偏倚して設定されている。
【００３７】
このような構造とされたコンタクトレンズ３２においても、図５に示されたコンタクトレンズ３０と同様、装用者の視線の動き、即ち瞳孔中心の位置に応じて、遠用視力矯正域と近用視力矯正域が選択的に利用されることにより、遠点および近点の視認明瞭性が共に有利に確保され得るのである。なお、かかるコンタクトレンズ３２においては、視力矯正域１２の光学的中心軸：Ｐのレンズ外形の幾何的中心軸：Ｏに対する鉛直上方への偏倚量：ｅ′が、ｅ′≦７．０mmに設定されることが望ましく、それによって、一般的な生活条件下で、近用視力と遠用視力が、共に有利に確保され得る。
【００３８】
また、かかるコンタクトレンズ３２においても、図５に示されたコンタクトレンズ３０と同様、装用時のレンズ位置ずれ等を考慮して、好ましくは、図示されているように、視力矯正域１２の光学的中心軸：Ｐがレンズ外形の幾何的中心軸：Ｏに対して鼻側斜め上方に偏倚して設定される。更に、かかるコンタクトレンズ３２において、より好ましくは、視力矯正域１２のレンズ度数分布等が、前記（式１）〜（式２）及び（式１１）〜（式１８）に従って設定される。
【００３９】
以上、本発明の実施形態について詳述してきたが、これらは文字通りの例示であって、本発明は、これらの実施形態に関する具体的な記載によって、何等、限定的に解釈されるものでない。
【００４０】
例えば、視力矯正域では、円筒面レンズ（トーリック面）を組み合わせること等によって、互いに異なる径方向で、レンズ度数が相違して設定されていても良く、中間域では、径方向におけるレンズ度数の変化率が、各径方向で異なっていても良い。
【００４１】
また、中央視力矯正域，外周視力矯正域および中間域は、完全な円形状乃至は円環形状である必要はなく、楕円形状等も採用可能である。
【００４２】
更にまた、本発明は、老視用コンタクトレンズに対して特に有利に適用されるが、それに限らず、各種のコンタクトレンズや眼内レンズ等にも適用可能である。
【００４３】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【００４４】
【発明の効果】
上述の説明から明らかなように、本発明に従う構造とされた多焦点型眼用レンズにおいては、径方向で度数変化がない中央視力矯正域と外周視力矯正域によって、特に必要とされる二つの距離点（近点および遠点）における視認性が、極めて有利に確保されるのであり、しかも、それら中央視力矯正域と外周視力矯正域が、中間域により、滑らかな度数変化をもって接続されることにより、イメージジャンプおよびゴースト等の発生も抑えられて、優れた明瞭性および使用感が得られるのである。
【図面の簡単な説明】
【図１】本発明の実施形態としてのコンタクトレンズの一具体例を示す正面説明図である。
【図２】本発明の実施形態としてのコンタクトレンズにおけるレンズ度数分布の具体的な一設定例を説明するためのグラフである。
【図３】本発明の実施形態としてのコンタクトレンズにおけるレンズ度数分布の別の具体的な設定例を説明するためのグラフである。
【図４】本発明の実施形態としてのコンタクトレンズの別の具体例を示す正面説明図である。
【図５】本発明の実施形態としてのコンタクトレンズの更に別の具体例を示す正面説明図である。
【図６】本発明の実施形態としてのコンタクトレンズの更に別の具体例を示す正面説明図である。
【符号の説明】
１０，３０，３２  コンタクトレンズ
１２  視力矯正域
１４  中央視力矯正域
１６  外周視力矯正域
１８  中間域
２０  内側移行領域
２２  外側移行領域
【図１】
0003683093.tif 000002
【図２】
0003683093.tif 000003
【図３】
0003683093.tif 000004
【図４】
0003683093.tif 000005
【図５】
0003683093.tif 000006
【図６】
0003683093.tif 000007